(57)【要約】【課題】遊技球の動きに変化をもたせ、遊技者が遊技球に注目しやすくなる遊技機用入賞装置と、そのような入賞装置を備えた遊技機を提供する。【解決手段】第一ステージ１１は、球入口１３側から導入された遊技球Ｂを所定時間（回転板２０の永久磁石２１が到来するまで）停留させた後、回転板２０の永久磁石２１に吸着・保持させる。一方、第二ステージ１２は、遊技球Ｂとの接触により永久磁石２１の吸着力に抗して回転板２０から遊技球Ｂを解放（分離）し、回転板２０から解放された遊技球Ｂを所定時間（回転板２０の切欠２２が到来するまで）停留させた後、回転板２０の切欠２２と台板１４の球出口１５とを介して球通過孔３１へ導出（排出）する。【選択図】  図５
2005013594.tif 000002
【特許請求の範囲】
【請求項１】
遊技盤の盤面に交差する軸線の周りに一方向にのみ回転可能に取り付けられ、回転方向下流側に設定された球保持位置から回転方向上流側に設定された球解放位置へ遊技球を保持・搬送するための球保持部を有する回転体と、
前記球保持位置に対応して配置され、球入口側から導入された遊技球を所定時間停留させた後前記球保持部に保持させるための第一の停留部と、
前記球解放位置に対応して配置され、その回転体から解放された遊技球を所定時間停留させておくための第二の停留部と、を備え、
前記第一の停留部において所定時間停留され、前記回転体により球保持位置から球解放位置に保持・搬送された後、前記第二の停留部において所定時間停留され、その後入賞口に導出される遊技球を遊技者に視認可能とすることを特徴とする遊技機用入賞装置。
【請求項２】
遊技盤の盤面に交差する軸線の周りに一方向にのみ回転可能に取り付けられ、回転方向下流側に設定された球保持位置から回転方向上流側に設定された球解放位置へ遊技球を保持・搬送するための球保持部と、球解放位置において遊技球を前記遊技盤の裏側に配置された入賞口に導出するための球排出部とを有する回転体と、
前記球保持位置に対応して配置され、球入口側から導入された遊技球を所定時間停留させた後前記球保持部に保持させるための第一の停留部と、
前記球解放位置に対応して配置され、その回転体から解放された遊技球を所定時間停留させておくための第二の停留部と、を備え、
前記第一の停留部において所定時間停留され、前記回転体により球保持位置から球解放位置に保持・搬送された後、前記第二の停留部において所定時間停留され、その後前記回転体の球排出部から前記入賞口に導出される遊技球を遊技者に視認可能とすることを特徴とする遊技機用入賞装置。
【請求項３】
前記球保持部は前記回転体の遊技者に対向する端面側において回転方向に沿って１又は複数設けられるとともに、前記球排出部は前記回転体を軸線方向に貫通する形態で回転方向に沿って１又は複数設けられ、
かつ、前記第一の停留部に停留する遊技球は前記球保持部によってのみ保持・搬送され、前記第二の停留部に停留する遊技球は前記球排出部を介してのみ前記入賞口に導出され、
さらに、これら球保持部と球排出部との配置において、所定の球保持部と前記回転体の回転に伴って到来する次の球保持部との間には必ず１又は複数の球排出部が存在するように設定されている請求項２に記載の遊技機用入賞装置。
【請求項４】
前記球保持部と球排出部とは、前記回転体の遊技者に対向する端面側においてその回転中心に対してほぼ点対称位置に設けられ、
前記回転体は常時連続的に定速で回転している請求項２又は３に記載の遊技機用入賞装置。
【請求項５】
前記球保持部により遊技球が保持・搬送されているとき、又は前記第二の停留部に遊技球が停留しているときに、
前記第一の停留部には後続の遊技球が停留可能である請求項１ないし４のいずれか１項に記載の遊技機用入賞装置。
【請求項６】
前記第一及び第二の停留部は、軸線方向から見て前記回転体の回転軌跡内に位置するとともに、その回転体の外側を覆う本体部に形成されている請求項１ないし５のいずれか１項に記載の遊技機用入賞装置。
【請求項７】
前記本体部のうち、少なくとも球保持位置から球解放位置に至る保持・搬送径路部分並びに前記第一及び第二の停留部を透明化又は開口形成することにより、遊技球を遊技者に視認可能とする請求項６に記載の遊技機用入賞装置。
【請求項８】
請求項１ないし７のいずれか１項に記載の遊技機用入賞装置を備えたことを特徴とする遊技機。
【発明の詳細な説明】
【０００１】
【発明の属する技術分野】
本発明は、遊技機用入賞装置及び遊技機に関する。
【０００２】
【従来の技術】
従来から、遊技機用役物の一種として、円盤状又は円柱状の回転体により遊技球を搬送（移動）する入賞装置（入球装置）が用いられている。その一例として、特許文献１に示すように、遊技盤に平行な（又は直交する）軸線の周りに回転する円盤状（又は円柱状）の回転体の外周面に遊技球を保持し、回転体の回転とともに遊技球を移動させる技術が知られている。
【０００３】
【特許文献１】
特開２００２−１１３１７１号公報
【０００４】
【発明が解決しようとする課題】
一方で、このような遊技機用入賞装置（遊技機用役物）を例えば第３種パチンコ機における大当たり用スタートチャッカ（第３種始動口ともいう）として用いたとき、遊技球の停留（待機）・搬送（移動）・入賞（排出）の一連の動作にかかる時間が比較的短いこともあって、遊技者の目を惹き付けるには遊技球の動きの変化が十分でない場合がある。また、球導入側（球入口側）では球受部等を始めとする球導入ガイド類が遊技球に向かう遊技者の視線を遮ってしまうことがあり、球導出側（球出口側）では遊技球が遊技盤の裏側にすぐに排出され遊技者の視界から短時間で消えてしまうことがあるため、入賞装置や遊技球への注目度が向上しない場合もある。
【０００５】
本発明の課題は、遊技球の動きに変化をもたせ、遊技者が遊技球に注目しやすくなる遊技機用入賞装置と、そのような入賞装置を備えた遊技機を提供することにある。
【０００６】
【課題を解決するための手段及び発明の効果】
上記課題を解決するために本発明の遊技機用入賞装置は、
遊技盤の盤面に交差する軸線の周りに一方向にのみ回転可能に取り付けられ、回転方向下流側に設定された球保持位置から回転方向上流側に設定された球解放位置へ遊技球を保持・搬送するための球保持部を有する回転体と、
前記球保持位置に対応して配置され、球入口側から導入された遊技球を所定時間停留させた後前記球保持部に保持させるための第一の停留部と、
前記球解放位置に対応して配置され、その回転体から解放された遊技球を所定時間停留させておくための第二の停留部と、を備え、
前記第一の停留部において所定時間停留され、前記回転体により球保持位置から球解放位置に保持・搬送された後、前記第二の停留部において所定時間停留され、その後入賞口に導出される遊技球を遊技者に視認可能とすることを特徴とする。
【０００７】
また、上記課題を解決するために本発明の遊技機用入賞装置は、
遊技盤の盤面に交差する軸線の周りに一方向にのみ回転可能に取り付けられ、回転方向下流側に設定された球保持位置から回転方向上流側に設定された球解放位置へ遊技球を保持・搬送するための球保持部と、球解放位置において遊技球を前記遊技盤の裏側に配置された入賞口に導出するための球排出部とを有する回転体と、
前記球保持位置に対応して配置され、球入口側から導入された遊技球を所定時間停留させた後前記球保持部に保持させるための第一の停留部と、
前記球解放位置に対応して配置され、その回転体から解放された遊技球を所定時間停留させておくための第二の停留部と、を備え、
前記第一の停留部において所定時間停留され、前記回転体により球保持位置から球解放位置に保持・搬送された後、前記第二の停留部において所定時間停留され、その後前記回転体の球排出部から前記入賞口に導出される遊技球を遊技者に視認可能とすることを特徴とする。
【０００８】
これらの遊技機用入賞装置によれば、遊技球に対して、球保持位置側の第一の停留部での停留→球保持位置から球解放位置への回転体での保持・搬送→球解放位置側の第二の停留部での停留が順次行なわれるので、遊技球に緩急の動きが加わり、遊技者の注目を集めることができるようになる。しかも、第一の停留部に加えて第二の停留部でも所定時間停留されるので、遊技者の注意を長く引き留めておくことができる。また、球出口側の第二の停留部において入賞口に導出される前に遊技球を所定時間停留させることができるので、遊技者の視界から短時間で消えてしまうことがなく、入賞装置や遊技球への注目度が向上する。したがって、本発明の遊技機用入賞装置を第３種始動口のようなスタートチャッカ（始動チャッカ）に用いた場合でも、遊技者に新たな興趣を喚起することができる。なお、遊技球が回転体に設けられた球排出部から入賞口に導出される場合には、回転体が回転して球排出部が球解放位置に位置したときに遊技球が入賞口に向けて排出されるので、球排出のために大掛かりな仕掛けを設ける必要がなく入賞装置の小型化を図ることができる。
【０００９】
なお、本発明において、「入賞口」の代表例は、例えば大当たり状態でのラウンド開始のように、遊技者に有利な特定の遊技状態を開始させるためのスタートチャッカ（始動チャッカ）であり、第３種始動口がその典型例となる。したがって、本発明での「遊技機用入賞装置」の代表例は、スタートチャッカに相当する入賞口を有する役物と言い表すことができる。
【００１０】
このような遊技機用入賞装置において、球保持部が回転体の遊技者に対向する端面側において回転方向に沿って１又は複数設けられるとともに、球排出部が回転体を軸線方向に貫通する形態で回転方向に沿って１又は複数設けられ、かつ、第一の停留部に停留する遊技球が球保持部によってのみ保持・搬送され、第二の停留部に停留する遊技球が球排出部を介してのみ入賞口に導出され、さらに、これら球保持部と球排出部との配置において、所定の球保持部と回転体の回転に伴って到来する次の球保持部との間には必ず１又は複数の球排出部が存在するように設定することができる。球入口側から導入された遊技球は、回転体に設けられる球保持部と球排出部とによって球保持位置から球解放位置へ保持・搬送され入賞口に導出されるので、一層入賞装置をコンパクトに構成することができる。しかも、球保持部で保持・搬送され第二の停留部で停留する遊技球に対して、球保持部の後方からは必ず球排出部がやって来ることになるので、第二の停留部で遊技球が滞留したり詰まったりすることなく確実に球排出することができる。
【００１１】
ここで、球保持部の具体例として、回転体の遊技者に対向する端面に埋設されて遊技球を吸着・保持可能な永久磁石や、回転体の外周面から半径方向中心側に切れ込んで遊技球を収容可能な切欠等を挙げることができる。一方、球排出部の具体例として、回転体の外周面から半径方向中心側に切れ込んで遊技球が通過可能な切欠や、回転体を軸線方向に貫通して遊技球が通過可能な貫通孔等を挙げることができる。
【００１２】
また、球保持部と球排出部とを、回転体の遊技者に対向する端面側において回転中心に対してほぼ点対称位置に設け、回転体を常時連続的に定速で回転することが望ましい。球保持位置（第一の停留部）と球解放位置（第二の停留部）とを回転中心からほぼ同じ距離に配置することができるので、球解放位置で解放された遊技球をその場（第二の停留部）で停留させておけば、球排出部によってそのまま排出できる。回転体を常時連続的に定速回転することにより、入賞口への入賞確率が均等化され、電動モータ等の駆動アクチュエータの回転制御を行なう必要がなく、回転負荷の減少により故障等を生じにくくなって長寿命化を図れる。
【００１３】
したがって、これらによって、球保持部により遊技球が保持・搬送されているとき、又は第二の停留部に遊技球が停留しているときに、第一の停留部には後続の遊技球が停留可能となる。先行の遊技球が入賞口に導出される前に後続の遊技球を第一の停留部に停留させて搬送準備できるので、球搬送の時間間隔を短くして次から次へと遊技球を保持・搬送することができるようになる。
【００１４】
また、第一及び第二の停留部を、軸線方向から見て回転体の回転軌跡内に位置させるとともに、回転体の外側を覆う本体部に形成することによって、入賞装置をさらに小型化することができる。
さらに、その本体部のうち、少なくとも球保持位置から球解放位置に至る保持・搬送径路部分並びに第一及び第二の停留部を透明化又は開口形成することにより、遊技球を遊技者に視認可能とすることができる。つまり、第一の停留部での停留→球保持位置から球解放位置への保持・搬送→第二の停留部での停留が順次行なわれている遊技球を実際に視認しやすくしているので、遊技者の注目を集めやすくなる。
【００１５】
なお、以上で説明したように、本発明に係る遊技機用入賞装置は、
「遊技盤の盤面に交差する軸線の周りに一方向にのみ回転可能に取り付けられ、回転方向下流側に設定された球保持位置から回転方向上流側に設定された球解放位置へ遊技球を保持・搬送するための球保持部を有する回転体と、
前記球解放位置に対応して配置され、その回転体から解放された遊技球を所定時間停留させておくための停留部と、を備え、
前記回転体により球保持位置から球解放位置に保持・搬送された後、前記停留部において所定時間停留され、その後入賞口に導出される遊技球を遊技者に視認可能とする遊技機用入賞装置」
と表わすこともできる。
【００１６】
この場合でも、球出口側の第二の停留部で所定時間停留されるので、遊技球の保持・搬送以降の一連の動作にかかる時間を比較的長く設定でき、遊技者の注意を長く引き留めておくことができる。特に、第二の停留部において入賞口に導出される前に遊技球を所定時間停留させることができるので、遊技者の視界から短時間で消えてしまうことがなく、入賞装置や遊技球への注目度が向上する。
【００１７】
そして、上記課題を解決するために本発明の遊技機は、以上で述べたような遊技機用入賞装置を備えたことを特徴とする。回転体が遊技盤の盤面に交差（例えば直交）する軸線の周りに回転するため、回転体の遊技者に対向する端面側を広く使って遊技球の動きに変化を与えることができる。したがって、遊技機用入賞装置が、例えば第３種始動口のように遊技盤の中央部以外の盤面に設けられる場合であっても、遊技者の視線を集めて新たな興趣を喚起することができる。
【００１８】
【発明の実施の形態】
本発明の実施の形態を図面に示す実施例を参照しつつ説明する。なお、本実施例で前方側とは遊技者に向かう側を意味し、後方側とはその反対側を意味する。
図１及び図２は、本発明の遊技機用入賞装置の一例としての第３種始動口用入賞装置を示し、図１は正面図及び斜視図、図２はその分解斜視図を示す。図１に示すように、第３種始動口用入賞装置（以下、単に入賞装置という）１は、この入賞装置１の基本骨格を構成する透明硬質合成樹脂製の本体部１０と、遊技球の保持・搬送手段及び排出手段としての回転板２０（回転体）とを備えている。また、図２に示すように、入賞装置１は、遊技球が排出されたことを検出する近接スイッチ３０（非接触式センサ；検出手段）と、本体部１０とともに近接スイッチ３０を支持する裏蓋４０と、軸線Ｏを有するモータ軸５１に回転板２０を固定して常時連続的に定速で一方向に回転する電動モータ５０（駆動アクチュエータ）とを備えている。なお、モータ軸５１の軸線Ｏは、入賞装置１が取り付けられる遊技機１００の遊技盤１０１上において、その盤面１０２に交差（例えば直交）している（図８参照）。
【００１９】
図２において、本体部１０は、前方側（回転板２０の遊技者に対向する端面側）に配置される上部ボンネット１０Ａ（上部本体；本体部）及び下部ボンネット１０Ｂ（下部本体；本体部）と、後方側に配置される主フレーム１０Ｃ（裏側本体；本体部）とが、回転板２０を挟むように外側から覆う形で対向配置され、ビス等の締結部材１９で互いに固定されている。裏蓋４０のフランジ部がビス等の締結部材４９で本体部１０（主フレーム１０Ｃ）に固定されている。同様に、電動モータ５０のフランジ部もビス等の締結部材５９で本体部１０（主フレーム１０Ｃ）に固定されている。
【００２０】
回転板２０は合成樹脂製で円盤状又は円柱状に形成され、上記した通り、保持・搬送手段としての永久磁石２１（球保持部）と排出手段としての切欠２２（球排出部）とを有している。図３に示すように、永久磁石２１は、前端面（遊技者に対向する端面）に埋設されて遊技球Ｂを吸着し、回転方向下流側に設定された球保持位置Ｃから回転方向上流側に設定された球解放位置Ｒへ遊技球Ｂを保持・搬送する（図５（ｂ）、図６（ａ）参照）。一方、切欠２２は、外周面から半径方向中心側に切れ込んで遊技球Ｂを通過可能とし、球解放位置Ｒにおいて遊技球Ｂを後方側（例えば遊技盤１０１の裏側；図８参照）に配置された入賞口（例えば近接スイッチ３０の球通過孔３１；図２参照）に導出する（図７（ｂ）参照）。
【００２１】
図３のように、永久磁石２１と切欠２２とは各１個ずつ設けられ、回転板２０の前端面側において、回転中心（軸線Ｏ）に対してほぼ点対称の位置（約１８０°の回転位相角のずれ）にある。したがって、永久磁石２１と切欠２２とが回転中心からほぼ等距離に位置するので、永久磁石２１で吸着・運搬した遊技球Ｂを切欠２２によってそのまま排出できる。また、永久磁石２１が第一の遊技球Ｂを吸着し球保持位置Ｃから球解放位置Ｒへ搬送して解放した後、再び球保持位置Ｃへ戻り第二の遊技球Ｂを吸着する前に、切欠２２が球解放位置Ｒを通過するので、球解放位置Ｒで解放された第一の遊技球Ｂは切欠２２を介して確実に球通過孔３１へ導出される。
【００２２】
なお、２０ａは電動モータ５０のモータ軸５１が挿入固定される回転板２０のボス、２０ｂは回転板２０の前端面側周縁部（切欠２２の周縁部を含む）に突出形成された補強リブである。補強リブ２０ｂにより囲み形成される回転板２０前端面側の凹部２０ｃには、粘着式のシールを貼着することもできる。このようなシールは、永久磁石２１の埋め込み位置を表示するための識別マークとして用いることもできる。また、シールの貼着により永久磁石２１が回転板２０前端面から脱落することを防止できるので、埋め込み深さを浅めに（場合によっては表面に露出して）設定することができ、磁力（吸着力）の減少が抑制される。
【００２３】
図２に戻り、上部ボンネット１０Ａの上端部には、遊技盤１０１の盤面１０２（図８参照）上を流下する遊技球を受け入れて内部に導入するための球入口１３が開口している。また、下部ボンネット１０Ｂには、球保持位置Ｃに対応して配置された平面状の第一ステージ１１（第一の停留部）と、球解放位置Ｒに対応して配置された円弧状の第二ステージ１２（第二の停留部）とが形成されている（図４参照）。さらに、主フレーム１０Ｃの台板１４には、下部ボンネット１０Ｂの第二ステージ１２及び回転板２０の切欠２２の位置に対応して球出口１５が貫通形成されている。
【００２４】
したがって、第一ステージ１１は、球入口１３側から導入された遊技球Ｂを所定時間（回転板２０の永久磁石２１が到来するまで）停留させた後（図５（ａ）参照）、回転板２０の永久磁石２１に吸着・保持させる（図５（ｂ）参照）。一方、第二ステージ１２は、遊技球Ｂとの接触により永久磁石２１の吸着力に抗して回転板２０から遊技球Ｂを解放（分離）し（図６（ａ）参照）、回転板２０から解放された遊技球Ｂを所定時間（回転板２０の切欠２２が到来するまで）停留させた後（図６（ｂ）参照）、回転板２０の切欠２２と台板１４の球出口１５とを介して球通過孔３１へ導出（排出）する（図７（ａ）（ｂ）参照）。
【００２５】
第一ステージ１１及び第二ステージ１２はいずれも回転板２０の前端面側において正面視回転軌跡内に位置し（図５（ａ）参照）、本体部１０（１０Ａ・１０Ｂ・１０Ｃ）は全体を透明硬質合成樹脂で構成している。このため、この入賞装置１は小型かつ堅牢に構成され、遊技者からの遊技球の視認性もよい。
【００２６】
なお、回転板２０には、永久磁石２１以外に遊技球の保持・搬送手段は設けられていない。同様に、回転板２０には、切欠２２以外に遊技球の排出手段は設けられていない。また、台板１４には、回転板２０のボス２０ａを通すための中心孔１４ａを除き、球出口１５以外の貫通口は形成されていない。上部ボンネット１０Ａ及び下部ボンネット１０Ｂと回転板２０との間には、遊技球１個が通過できる隙間が形成されている。したがって、永久磁石２１による遊技球の吸着・搬送中に遊技球が落下したり排出されたりすることはない。
【００２７】
図４に背面図として示すように、第二ステージ１２に遊技球Ｂが停留しているとき（又は回転板２０の永久磁石２１により遊技球Ｂが保持・搬送されているとき）に、第一ステージ１１には後続の遊技球ＢＮが停留可能である。また、第一ステージ１１及び第二ステージ１２にはそれぞれ遊技球Ｂ，ＢＮを１球のみ停留可能である。このように、遊技球Ｂが回転板２０の切欠２２及び台板１４の球出口１５から球通過孔３１へ排出される前に後続の遊技球ＢＮを第一ステージ１１に停留させて次の搬送準備がされるので、効率的に球搬送がなされる。その際、遊技球Ｂ，ＢＮは球入口１３から球出口１５（球通過孔３１）の間を１球ずつ移動するので、途中での詰まり等を生じない。
【００２８】
図４（背面図）において、下部ボンネット１０Ｂの中心部に形成された半円状の受部１６Ｂに、上部ボンネット１０Ａの中心部に形成された円柱状又は円筒状の軸部１６Ａを載置し、軸部１６Ａの上縁が第一ステージ１１の底面よりも高位に位置するように構成している。第一ステージ１１の平面状の底面は中心側ほど低く傾斜して軸部１６Ａの外周面と交わり、同時に後方側（回転板２０側；図４では手前側）ほど低く傾斜している。したがって、上部ボンネット１０Ａの球入口１３から導入された遊技球ＢＮは、中心方向及び後方の二方向の勾配を有する第一ステージ１１の底面上を転動し、軸部１６Ａの外周面と回転板２０の前端面（図３参照）とに当たって停止（停留）する。このとき、遊技球ＢＮの重心が軸部１６Ａの中心軸よりも第一ステージ１１側にあり、第二ステージ１２側への移動が阻止されている。また、回転板２０の厚さＴが遊技球Ｂ，ＢＮの直径Ｄの１／２以下に設定してある（図３参照）ので、図４において遊技球ＢＮが第一ステージ１１での停留中に、永久磁石２１よりも先に切欠２２が到来した場合でも、遊技球ＢＮは切欠２２によって係合されて第二ステージ１２側へ搬送されるおそれはない。なお、軸部１６Ａ及び受部１６Ｂの中心軸はモータ軸５１の軸線Ｏと一致している（図２参照）。
【００２９】
他方、第二ステージ１２の円弧状の底面は後方側ほど低く傾斜している。したがって、回転板２０の切欠２２が台板１４の球出口１５と重合する位置に回転移動したとき、第二ステージ１２で停留している遊技球Ｂは第二ステージ１２の底面の勾配により切欠２２・球出口１５を経て球通過孔３１へスムーズに排出される（図７（ａ）（ｂ）参照）。
【００３０】
このように、入賞装置１によって、遊技球Ｂは球保持位置Ｃ側の第一ステージ１１で停留され、球保持位置Ｃから球解放位置Ｒへ回転板２０（永久磁石２１）で保持（吸着）・搬送され、球解放位置Ｒ側の第二ステージ１２で停留される。つまり、遊技球Ｂは、球保持位置Ｃ（第一ステージ１１）と球解放位置Ｒ（第二ステージ１２）との２ヶ所で停留されて、かつ緩急の動きが加えられる。これによって、遊技者の注目を集め、注意を長く引き留めておけるようになる。特に、第二ステージ１２において球出口１５から球通過孔３１へ導出される前に遊技球Ｂを停留させることができるので、遊技者の視界から短時間で消えてしまうことがなく、遊技者に第３種始動口への新たな興趣を喚起することができる。
【００３１】
なお、上部ボンネット１０Ａと下部ボンネット１０Ｂとは一体成形することができ、その場合には軸部１６Ａと受部１６Ｂとは一体化される。
【００３２】
次に、以上のように構成された入賞装置１の作動について、図５〜図７により説明する。
球入口１３側から球保持位置Ｃに導入された遊技球Ｂは、第一ステージ１１上に所定時間（回転板２０の永久磁石２１が到来するまで）停留する（図５（ａ））。このとき、第一ステージ１１には遊技球Ｂを１球のみ停留可能とされているため、後続の遊技球ＢＮは先行の遊技球Ｂで弾かれる（アウト球となる）。回転板２０は常時連続的に定速で一方向（実施例では反時計方向）にのみ回転しているので、第一ステージ１１上の遊技球Ｂは、やがて到来した永久磁石２１に吸着・保持され第二ステージ１２へと搬送される（図５（ｂ））。
【００３３】
球解放位置Ｒに到着した遊技球Ｂは、第二ステージ１２との接触により永久磁石２１の吸着力に抗して回転板２０から解放（分離）される（図６（ａ））。そして、遊技球Ｂは第二ステージ１２上に所定時間（回転板２０の切欠２２が到来するまで）停留する（図６（ｂ））。回転板２０の切欠２２が球解放位置Ｒに到来すると、第二ステージ１２・切欠２２・球出口１５の３者が重なり合う（図７（ａ））。第二ステージ１２上の遊技球Ｂは、切欠２２及び球出口１５を介して球通過孔３１へ導出（排出）される（図７（ｂ））。
【００３４】
さらに、図８により、以上で述べた入賞装置１を備えた第３種パチンコ機（以下、遊技機という）１００について説明する。入賞装置１は、遊技機１００の遊技盤１０１右側端部において、その回転板２０（モータ軸５１）の軸線Ｏ（図２参照）が盤面１０２に交差（例えば直交）するように取り付けられている。
【００３５】
遊技機１００での遊技中に、遊技盤１０１上の中央表示装置１０３が特定の図柄で揃うと大当たり遊技が開始される。このとき、遊技球が入賞装置１の球入口１３から球保持位置Ｃに導入されると、入賞装置１では図５〜図７で説明した手順に従って一連の動作が行われる。そして、遊技球が球通過孔３１（入賞口）を通過したことを近接スイッチ３０が検出することにより、賞球払い出しが行われるとともに、入賞装置１の直下方に配置されたアタッカ１０４（大入賞口）が開かれる。所定時間（例えば３０秒間）の経過又はアタッカ１０４への所定球数（例えば１０球）の入球を１ラウンドとして、アタッカ１０４は一旦閉じられる。その後、入賞装置１の球入口１３に遊技球が入球し球通過孔３１を通過すると、再びアタッカ１０４が開かれ上記動作を所定ラウンド数（例えば１６ラウンド）にわたり繰り返し、大当たり遊技は終了する。
【００３６】
以上、本発明の実施の形態を説明したが、本発明はこれに限定されない。例えば、入賞装置１は第３種パチンコ機１００以外の遊技機にも適用できる。その際、スタートチャッカ以外の入賞装置として用いてもよい。また、遊技球の排出手段を回転板２０以外（例えば上下ボンネット１０Ａ，１０Ｂ等）に設けることもできる。さらに、回転体（回転板２０）の形状は円盤状又は円柱状に限らず、楕円形状等の曲線や六角形等の多角形を用いることができ、軸線方向に変形する立体形状を有していてもよい。なお、アタッカ１０４を開くための入賞口は、入賞装置１の球通過孔３１とは別に（下流に）設けられていてもよい。
【図面の簡単な説明】
【図１】本発明の遊技機用入賞装置の一例を示す正面図及び斜視図。
【図２】図１の遊技機用入賞装置の分解斜視図。
【図３】回転板の正面図及びそのＡ−Ａ断面図。
【図４】図１の遊技機用入賞装置の一部を省略して示す背面図。
【図５】図１の遊技機用入賞装置の作動を示す説明図。
【図６】図５に続く作動を示す説明図。
【図７】図６に続く作動を示す説明図。
【図８】図１の遊技機用入賞装置を備えた遊技機の一例を模式的に示す正面図。
【符号の説明】
１        第３種始動口用入賞装置（遊技機用入賞装置）
１０      本体部
１１      第一ステージ（第一の停留部）
１２      第二ステージ（第二の停留部）
１３      球入口
１５      球出口
２０      回転板（回転体）
２１      永久磁石（球保持部）
２２      切欠（球排出部）
３１      球通過孔（入賞口）
１００    第３種パチンコ機（遊技機）
１０１    遊技盤
１０２    盤面
【図１】
2005013594.tif 000003
【図２】
2005013594.tif 000004
【図３】
2005013594.tif 000005
【図４】
2005013594.tif 000006
【図５】
2005013594.tif 000007
【図６】
2005013594.tif 000008
【図７】
2005013594.tif 000009
【図８】
2005013594.tif 000010